(57)【要約】      （修正有）【課題】小さく折り畳んで収納することができる携帯性に優れたバッグであって、貴重品の盗難防止機能も有するバッグを提供する。【解決手段】バッグ１は、バッグ本体内に、折り畳まれたバッグ本体を収納することができる大きさの収納用袋２を備え、この収納用袋２は、収納用袋２の開口２ａから外部へ延出している収納用袋２の内装材２ｂがバッグ本体の内装材１ｃに接続されている。一実施例においては、収納用袋の前側内装材２ｂが、バッグ本体の後側の胴裏部位１ｂの内装材１ｃに接続されている。【選択図】図３
0003196106.tif 000002
【実用新案登録請求の範囲】
【請求項１】
バッグ本体と収納用袋とからなるバッグであって、
上記バッグ本体の内側に、折り畳まれた上記バッグ本体を収納することができる大きさの上記収納用袋が設けられており、
上記収納用袋は、上記バッグ本体の後側の胴裏部位に隣接して位置し、
上記収納用袋の開口を遮蔽するように、上記収納用袋の前側の内装材が延出して上記バッグ本体の後側の胴裏部位に接続されていることを特徴とするバッグ。
【考案の詳細な説明】
【技術分野】
【０００１】
本考案は、財布や携帯電話機などを携帯する際に使用されるバッグに関し、詳しくは、該バッグの内側に備える収納用袋にバッグ本体を折り畳んで収納することができるバッグに関する。
【背景技術】
【０００２】
小さく折り畳むことができる携帯性に優れたバッグはこれまでにも存在したが、そのようなバッグにおいては、該バッグが折り畳まれた際に折り畳み状態を維持するのに使用されるジッパ（スライド式ファスナ）が、該バッグの底辺部から垂れ下がって見えていた（非特許文献１）。
【０００３】
このため、雨の強い日などには、垂れ下がった台布に取り付けられたジッパが雨で濡れてしまうことがあった。
【０００４】
バッグの底辺部から台布に取り付けられたジッパが垂れ下がることがなければ、この部分のメンテナンスをする必要がなくなるので有利となろう。
【先行技術文献】
【非特許文献】
【０００５】
【非特許文献１】意匠登録番号１３６１０６３号公報
【考案の概要】
【考案が解決しようとする課題】
【０００６】
本考案は、小さく折り畳んで収納袋用内に収納できる携帯性に優れたバッグであって、貴重品の盗難防止機能も備えているバッグを提供することを目的とする。
【課題を解決するための手段】
【０００７】
本考案は、バッグ本体と収納用袋とからなるバッグであって、バッグ本体の内側に、折り畳まれたバッグ本体を収納することができる大きさの収納用袋が設けられていて、収納用袋は、バッグ本体の後側の胴裏部位に隣接して位置し、収納用袋の開口を遮蔽するように、収納用袋の前側の内装材が延出してバッグ本体の後側の胴裏部位に接続されていることを特徴とする。
【０００８】
本明細書においてバッグ本体の胴裏部位とは、バッグ本体の外装材とは別個に設けられた内装材が位置する部位のことである。或いは、バッグ本体が１枚の布や皮革などで形成されている場合には、布や皮革の内側の部位のことである。
【考案の効果】
【０００９】
本考案のバッグは、携帯性に優れているだけでなく、バッグ本体の開口を通して手を入れたとしても、内装材２ｂに遮られて収納用袋２の中までは手が届かないので（図５（ｂ）を参照）、この収納用袋２に健康保険証やパスポートなどの貴重品を収納しておくことで、スリなどによる盗難の被害を防ぐことができる。
【図面の簡単な説明】
【００１０】
【図１】本考案のバッグの一例を示す正面図。
【図２】バッグ本体内に設けられた収納用袋を示す図。
【図３】バッグ本体の開口部から収納用袋が取り出された状態を示す図。
【図４】バッグ本体を収納した収納用袋の正面図。
【図５】収納用袋にバッグ本体を収納する過程を概略的に示す図。
【図６】バッグの背面図
【図７】バッグをキャリーバーに係着した状態を示す。
【考案を実施するための形態】
【００１１】
本考案のバッグについて添付の図面を参照しつつ説明する。一実施例においては、本考案のバッグ１は、肩に掛けて携帯することができるショルダーバッグである。
【００１２】
本考案のバッグ１は、バッグ本体内に、該バッグ本体を収納することができる大きさの収納用袋２を備えている。
【００１３】
なお、図１および図２において、符号３はバッグ１の前側に設けられたポケットのフラップ蓋、符号４はバッグ１の前側に設けられたポケットのジッパ、符号５は肩掛け用ベルト、符号６はベルト５の長さを調節するためのベルト長さ調節具を示している。また、図６および図７において、符号７はキャリーケース９のキャリーバー９ａに装着するためのハンドルベルト、符号８はキャリーバーの通路口を示している。
【００１４】
図２に示されるように、バッグ本体内に設けられている収納用袋２は、バッグ本体の後側の胴裏部位１ｂに隣接して位置し、該収納用袋２の開口２ａを遮蔽するように、該収納用袋２の内装材２ｂとバッグ本体の内装材１ｃとが接続している。このため、収納用袋２がバッグ本体内にある時、バッグ本体の開口部１ｄを通して収納用袋２の開口２ａ内へ手を入れようとしても、収納用袋から延出している内装材に遮られて収納用袋２の開口２ａ内へ真直ぐに手を入れることができないようになっている（図３および図５（ｃ）を参照）。
【００１５】
図３は、バッグ１の開口部１ｄから収納用袋２が取り出された状態を示している。バッグ本体内から取り出された収納用袋２は、バッグ本体（ベルト５を含み得る）が折り畳まれた後にこれを収納することができる。
【００１６】
図４は、折り畳まれたバッグ本体を収納している状態の収納用袋２を示している。収容用袋２は、折り畳まれたバッグ本体をコンパクトに収納している。
【００１７】
図５の各図は、収納用袋２内にバッグ本体を収納するときの過程を説明している。図５においては簡潔に示すために、ベルトなどの付属品が省略されている。
【００１８】
図５（ａ）〜図５（ｃ）に示されるように、最初に、バッグ１の天部のジッパ１ｅを開けてバッグ１の開口部１ｄから収納用袋２を取り出す。次に、図５（ｄ）〜図５（ｆ）に示されるように、バッグ本体および収納用袋２を平坦な場所に置いて、収納用袋２の開口２ａを通してバッグ本体を収納し易いように折り畳む。最後に、図５（ｇ）〜図５（ｈ）に示されるように、収納用袋２の天部のジッパ２ｃを閉じることで、収納が完了する。
【００１９】
特に図５（ｂ）に示されるように、収納用袋２の内部まで通じる開口２ａは、該開口２ａから延出する内装材２ｂとバッグ本体の後側の胴裏部位１ｂとの間に位置している。すなわち、バッグ１の開口を通して収納用袋２へ手を入れようとしても、収納用袋２の開口２ａが内装材２ｂに遮られて届かない位置にあるので、バッグ本体内にある収納用袋２を貴重品袋として有利に使用することができる。
【００２０】
なお、図示した実施例においては、バッグ１の開口部１ｄを閉じる手段および収納用袋２の開口２ａを閉じる手段としてジッパ１ｅおよびジッパ２ｃが使用されているが、これらの開口を適切に閉じるために他の閉塞手段が使用される場合もある。例えば、ジッパ１ｅおよびジッパ２ｃの代わりに、ホックや面ファスナが使用される場合もある。
【符号の説明】
【００２１】
１…バッグ
１ａ…底辺部
１ｂ…胴裏部位
１ｃ…内装材
１ｄ…開口部
１ｅ…ジッパ
２…収納用袋
２ａ…開口
２ｂ…内装材
２ｃ…ジッパ
３…フラップ蓋
４…ジッパ
５…肩掛け用ベルト
６…ベルト長さ調節具
７…ハンドルベルト
８…通路口
９…キャリーケース
９ａ…キャリーバー
【図１】
0003196106.tif 000003
【図２】
0003196106.tif 000004
【図３】
0003196106.tif 000005
【図４】
0003196106.tif 000006
【図５】
0003196106.tif 000007
【図６】
0003196106.tif 000008
【図７】
0003196106.tif 000009